(57)【要約】構造体への使用のためのマルチパネル電子表示装置であって、当該マルチパネル電子表示装置はフレームを備え、当該フレームは自然の空気流に遭遇するように前記構造体に着脱自在に接続され、前記マルチパネル電子表示装置は、さらに、前記フレームに取り付けられた複数の個々のパネルを備え、おのおののパネルは第１の面と当該第１の面と向かい合う第２の面を備え、当該第１の面は複数の光源を備え、おのおのの個々のパネルは画像を表示するために他の個々のパネルと共に作用し、前記マルチパネル電子表示装置は、さらに、前記マルチパネル電子表示装置の個々のパネルのうちの２以上の第２の面上に、前記フレームと熱伝達するようにプリント回路基板を備え、その結果、該回路基板上の電子部品によって発生した熱が前記フレーム内で放散され、前記フレームは自然の空気流によって冷却される。前記フレームは、放熱を促進し、電線のための空間を生成するため、及び伝導性パッドを含むために波状にされることができる。【選択図】図３
2012525612.tif 000002
【特許請求の範囲】
【請求項１】
構造体上への使用のためのマルチパネル電子表示装置によって発生した熱を放散するための方法であって、前記表示装置は電源を有し、
前記方法は、
ａ．前記マルチパネル電子表示装置の複数の個々のパネル上に複数の発熱電子部品を分配する工程、
ｂ．前記マルチパネル電子表示装置の２以上のパネルをフレーム上に取り付ける工程、
ｃ．前記フレームを前記構造体に着脱自在に取り付ける工程、および
ｄ．電子表示装置を動作するために、前記電源と前記複数の発熱電子部品とを接続する工程
を含むことを特徴とする方法。
【請求項２】
前記複数の発熱部品が複数の電圧変換器と複数の電圧調整器を備えることを特徴とする請求項１記載の方法。
【請求項３】
前記複数の電圧変換器が、前記電源によって供給された電圧を前記電子表示装置の前記個々の表示パネルを動作するために必要とされる電圧に変換することを特徴とする請求項２記載の方法。
【請求項４】
前記発熱電子部品が前記電子表示装置内に含められ、かつ周囲の環境から前記個々の表示パネルと共に封止されていることを特徴とする請求項１記載の方法。
【請求項５】
前記発熱電子部品から熱を引き、前記フレームの容量を最適化するために、前記フレームに波状、ワッフル状又はチェッカーボード状のパターンを形成する工程をさらに含むことを特徴とする請求項１記載の方法。
【請求項６】
前記フレームによる熱放散をさらに促進するために、熱伝導性のパッドを前記発熱部品と前記フレームとの間に配する工程をさらに含むことを特徴とする請求項１記載の方法。
【請求項７】
５ボルトを超える電圧を直接前記パネルのおのおのに送達する工程と、前記パネル自体の点でこの電圧を前記パネルによって使用できる電圧にまで下げる工程をさらに含む請求項５記載の方法。
【請求項８】
熱放散をさらに促進するために、前記フレームを自然の空気流に晒す工程をさらに含むことを特徴とする請求項１記載の方法。
【請求項９】
前記構造体を移動する工程をさらに含み、これによって前記フレームを追加の空気流に晒すことを特徴とする請求項８記載の方法。
【請求項１０】
構造体上の使用のために容易に取り外すことができるマルチパネル電子表示装置を設けるための方法であって、
ａ．前記方法が複数の電子表示パネルを設ける工程を含み、前記複数の電子表示パネルのおのおのが前記複数の電子表示パネルの他のものと連結して機能して画像を表示し、かつフレームに取り付けられ、
ｂ．前記方法が前記複数の電子表示パネルのうちの３以上の背部に複数のプリント回路基板を設ける工程を含み、前記複数のプリント回路基板のおのおのが１以上の発熱電子部品を有し、
ｃ．前記方法が各プリント回路基板に電源から５ボルトを超える電位を供給する工程を含み、
ｄ．前記方法が前記構造体に前記フレームを着脱自在に取り付ける工程を含むことを特徴とする方法。
【請求項１１】
前記フレームに波状、ワッフル状又はチェッカーボード状のパターンを形成する工程をさらに含み、前記発熱電子部品から熱を引くために、前記フレームの容量を最適化することを特徴とする請求項１０記載の方法。
【請求項１２】
前記発熱部品と前記フレームとの間の熱伝導性のパッドを用いることによって、前記フレームによる熱放散をさらに促進する工程を含むことを特徴とする請求項１０記載の方法。
【請求項１３】
前記構造体を移動する工程をさらに含み、その結果、前記フレームが周囲の環境から追加の空気流に遭遇することを特徴とする請求項１０記載の方法。
【請求項１４】
構造体上への使用のためのマルチパネル電子表示装置であって、
ａ．前記マルチパネル表示装置は自然な空気流に遭遇するように構造体に着脱自在に取り付けられたフレームを備え、
ｂ．前記マルチパネル表示装置は前記フレームに取り付けられた複数の個々のパネルを備え、各パネルは、第１の面と、前記第１の面と向かい合う第２の面とを備え、前記第１の面は複数の光源を備え、各個々のパネルの前記光源は一体になった画像を表示するために他の個々のパネルの前記光源と共に機能し、
ｃ．前記マルチパネル表示装置は、前記マルチパネル電子表示装置の個々のパネルのうちの２以上の前記第２の面に、前記フレームと熱伝達するように接続された回路基板を備え、その結果、前記回路基板上の電子部品によって発生した熱が前記フレーム内で放熱し、前記フレームが自然の空気流によって冷却され、
ｄ．前記マルチパネル表示装置は前記電子表示装置の前記個々のパネルによって使用されるべき電圧に変換し、かつ調整するために前記回路基板に取り付けられた電圧変換器及び電圧調整器を備える
ことを特徴とするマルチパネル電子表示装置。
【請求項１５】
前記フレームが波状にされていることを特徴とする請求項１４記載の表示装置。
【請求項１６】
画像を表示するために、前記光源の選択的活性を調整するデータ分配ボードをさらに備えることを特徴とする請求項１４記載の表示装置。
【請求項１７】
前記部品による熱放散をさらに促進するために、前記回路基板の前記電子部品と前記フレームとの間に配された１以上の熱伝導性パッドを備えてなることを特徴とする請求項１４記載の表示装置。
【請求項１８】
前記部品によって発生した熱の放散を促進するために、前記フレームと前記構造体との間に配された１以上の熱伝導性パッドをさらに備えることを特徴とする請求項１４記載の表示装置。
【請求項１９】
前記回路基板のおのおのとの直接通電する５ボルトを超える電位の電源を備えることを特徴とする請求項１４記載の表示装置。
【請求項２０】
前記電源が少なくとも約１２ボルトの電位を有することを特徴とする請求項１９記載の表示装置。
【請求項２１】
前記電源が少なくとも約２４ボルトの電位を有することを特徴とする請求項１９記載の表示装置。
【発明の詳細な説明】
【技術分野】
【０００１】
本発明は電子表示装置パネルに関し、詳しくは、効率的に熱を放散する動的な発光ダイオード（ＬＥＤ）表示装置または液晶表示装置（ＬＣＤ）に関する。
【背景技術】
【０００２】
広告業界では、動的な広告表示を採用している。単一の静的なポスターや画像を表示するよりも、むしろ単一の動的な広告の表示は、一連のいくつかの異なる画像を表示することができる。これは、産業のために、いくつかの新しいを利便性とオプションを提供し、１つの画像から他の画像への切り替えが容易で、或いはマンパワーの浪費がなく、広告主の時間を共有するための新しいモデルを可能にすることを含んでいる。このような動的な広告表示装置は、発光ダイオード（ＬＥＤ）、液晶表示装置（ＬＣＤ）などを利用した電子表示装置ボードを含む。
【０００３】
典型的には、このような表示装置のための電子機器は、環境から保護するために、ハウジングの内部または表示装置が取付けられる構造体若しくは車両の内部に配置される。このような電子表示装置を駆動する電子部品は、しかしながら、電子表示装置の最適な性能を確保するために放散する必要がある熱のかなりの量を生成することができる。電子表示装置に関連する熱を放散するための現在の一つの方法は、電子部品を冷却するために、冷却空気をハウジング内、またはハウジングの周囲に押し込む冷却ファンを使用することを含んでいる。
【０００４】
表示装置が移動車両に取り付けられると、熱発生部品は、通常、車両内の空間を塞ぐハウジング内で封止される、当該熱発生部品は、通常、他の部品の間に電圧変換器を含み、当該電圧変換器は車両用蓄電池からの２４ボルトを５ボルトに変換するが、当該５ボルトは、そのようなプリント回路基板に使用される典型的な電圧である。この構成は、通常、車両の壁に形成された１つ以上の大きい孔を挿通する数本の大径ケーブルの使用を必要とする。
【発明の概要】
【発明が解決しようとする課題】
【０００５】
それゆえ、これらの欠点とこれらの欠点から起こる類似の障害を克服する電子表示装置に対するニーズがある。
【課題を解決するための手段】
【０００６】
本発明は、電子部品を冷却する冷却ファンを必要とせず、むしろ表示装置を通過する自然の空気流を利用して当該電子部品を冷却する電子表示装置を対象としている。当該電子表示装置はフレームを備えており、当該フレームは、固定された構造体や移動車両に、自然の空気流がフレームに取り付けられた複数の個々のパネルに遭遇するように結合される。おのおののパネルの正面は複数の光源を備えており、他の個々のパネルの光源と共に画像を表示する。おのおののパネルの背面はプリント回路を備えており、当該プリント回路は１つ以上の発熱電子部品を含んでいる。パネル又は少なくとも発熱部品はフレームとの伝熱性があり、それにより回路基板上の電子部品によって発生した熱は表示装置から引き出され、フレーム内で放散する。ついでフレームは、フレームが遭遇する自然の空気流によって冷却される。
【０００７】
いくつかの実施形態において、フレームはワッフルのようなパターンで波形を付けられるか形成されて、自然流を効率的に改善する。
【０００８】
いくつかの実施形態では、熱伝導パッドが、電子部品とフレームとの間及び／又はフレームと構造体との間に配置され、組み合わせの熱放散容量を改善する。
【０００９】
いくつかの実施形態では、電源電圧は５ボルトよりも大きい電位を有している。
【図面の簡単な説明】
【００１０】
【図１】図１は、除去された個々のパネルの１つを除くすべてを有するフレームの実施形態の斜視図を示す。
【図２】図２は、バスに接続されたマルチパネルの電子表示装置の実施形態の側面図を示す。
【図３】図３は、部分的に組み立てられたマルチパネルの電子表示装置の部分斜視図を示す。
【図４】図４は、個々のパネルの実施形態の正面の斜視図である。
【図５】図５は、図４に示された個々のパネルの背面の斜視図である。
【発明を実施するための形態】
【００１１】
添付図面に関連して以下に述べる詳細な説明は、本発明の、現在の好適な実施形態の説明として意図されており、本発が解釈され得る、又は利用され得る唯一の形態を表していることを意図していない。説明では、図示された実施形態に関連して本発明を構成し、動作させるための機能及び工程につて述べる。しかしながら、同一または同等の機能及びシーケンスが、異なる実施形態によって達成され得るものであり、それは本発明の精神及び範囲に含まれることが意図されていると理解されるべきである。
【００１２】
本発明の一つの動機は、動的な表示装置を考え出すことであった。当該動的な表示装置は、表示装置が取り付けられる構造体や車両との干渉を最小にし、表示装置が取り付けられる構造体や車両内部のスペースの消費を最小にする。これを達成するために、電圧変換器（１４２）および電圧調整器（１４４）は、構造体又は車両（１０２）の外側に移動された。これにより、かかる発熱部品を取り囲むハウジングを如何にして減少させ、除去するかを含む多くの新たな問題が生じた。
【００１３】
本発明の一実施形態において、電圧変換器（１４２）と電圧調整器（１４４）は、数個のより小さな変換器及び調整器に置き換えられており、当該小さな変換器及び調整器は、表示装置（１００）のフレーム（１２６）にわたって分散された。フレーム（１２６）は、その後、波状のパターンに形成され、フレーム（１２６）の放熱特性を改善した。熱伝達性パッド（１３８）は、ついで、発熱部品（１４２−１５０）からフレーム（１２６）への熱伝達を向上させるために使用された。この構成は、表示装置（１００）とフレーム（１２６）を通過する空気流を利用して、電子部品を冷却する。これによって、電子部品を冷却する冷却ファンの必要性を減じるか又は除去する、若しくは表示装置の内側を介して冷却若しくは調整された空気の向きを再度変えるための冷却ファンの。
【００１４】
一実施形態では、マルチパネル電子表示装置（１００）は、フレーム（１２６）に取り付けられた、複数の個々の表示パネル（１１０）を備える。パネル（１１０）の前面側（１１２）は複数の光源（１０４）を備え、当該複数の光源（１０４）は、他の個々のパネル（１１０）上の光源と一緒に、一連の広告画像を表示する。プリント回路基板（１１６）はマルチパネル電子表示装置（１００）の二つ以上の個々のパネル（１１０）の背面側に取り付けられ、フレーム（１２６）と熱伝導性の伝達をする。その結果、回路基板（１１６）上の電子部品によって発生した熱は表示装置（１００）から引かれ、フレーム（１２６）内で放散する。ついで、フレーム（１２６）は当該フレーム（１２６）に遭遇する自然の空気流によって冷却される。これらの発熱部品（１４２−１５０）の分布を最適化するために、プリント回路基板（１１６）が個々のパネル（１１０）の各々の背面に取り付けることができ、プリント回路基板（１１６）とフレーム（１２６）との間、及び／又は電子部品とフレーム（１２６）との間に伝達性のパッド（１３８）を据えることによってフレーム（１２６）に熱的に結合される。
【００１５】
これらの小型の発熱部品（１４２−１５０）は、フレーム（１２６）の全体にわたって、等間隔の関係になるように分布され得る。その結果、これらの部品によって生成される熱は、同様に、フレーム（１２６）全体に分散される。この方法では、ついで自然の空気流によって冷却されるヒートシンクとしてのフレーム（１２６）の大きさ全体を用いるか、又は構造体若しくは車両（１０２）の表面の材料にフレームを熱結合することによって良好に除去される。表示装置（１００）が取り付けられた構造体（１０２）は、ビルディング、ビルボードなど、又は移動車両であり得る。
【００１６】
図１を参照すると、そのようなマルチパネル表示装置（１００）は、複数の個々のパネル（１１０）を備えており、当該個々のパネル（１１０）は、第一の面（１１２）にエネルギー効率の高い光源（１０４）を複数個有している。反対側（１１４）は、光源（１０４）に電力を与え、電子部品と画像を表示するために選択的にエネルギー効率の高い光源（１０４）を活性化することに係る電子部品を有するプリント回路基板を備える。
【００１７】
図示された個々のパネル（１１０）は一般的に長方形又は正方形であり、一般的に長方形又は正方形のアレイ状に配された複数の光源（１０４）を含むが、他のパネル構成も、同様に本発明において意図されている。適切な光源としては、限定されるものではないが、発光ダイオード（ＬＥＤ）、液晶表示装置（ＬＣＤ）などを含む。好ましくは、エネルギー効率の高い光源はＬＥＤである。
【００１８】
個々のパネル（１１０）は、表示装置（１００）においてアレイ状に配されたモジュール式デバイスとして機能する。ＬＥＤの反対側はプリント電子回路基板（１１６）である。回路基板（１１６）は、パネルマルチパネルＬＥＤ表示装置（１００）の個々のパネル（１１０）の２つ以上、個々のパネル（１１０）のすべて、又はそれらのいくつかの組み合わせの背面側に取り付けられ得る。この構成から得られる一つの利点は、フレーム（１２６）の少なくとも一部分にわたって発熱部品（１４２−１５０）を分配することである。表示装置（１００）が、移動車両（１０２）に使用されると、この分配は、フレーム（１２６）の特定の隆起部（１２８）に沿って、表示装置（１００）の前縁近傍に集中することができるか、又はフレーム（１２６）全体に亘ってより均等に広がり得る。表示装置（１００）がビルディングなどの静的構造体（１０２）に使用されると、この分配は表示装置（１００）の上縁近傍に集中し得るか、或いは再びフレーム（１２６）の全体に亘ってより均等に分配することもできる。この比較的良好な分散熱はより効率的に、フレーム（１２６）を介して表示装置（１００）から運び去られる。
【００１９】
このような構成からのもう一つの利点は、効果的に表示装置（１００）に電力を供給できるケーブル又は配線（１２４）の数とサイズの両方が、大幅に削減されることであり、ひいては構造体又は車両（１０２）の壁を貫通する貫通物の数及び寸法を低減する。すなわち、典型的なバッテリー及び市場で入手し得る特定の発電機の１２ボルト又は２４ボルトから、ＬＥＤ表示装置がｏｎ動作する５ボルトへの変換が、個々のＬＥＤパネル（１１０）の背面側に移動され得る。１２または２４ボルトを送達するケーブルのサイズが、たとえ短い距離でも５ボルトを送達するために必要とされるものよりも著しく小さくなり得る。また、２４ボルトの電位が長い距離にわたって維持できるので、単一の２４ボルトのケーブルは、複数の回路基板（１１６）にこの電圧を送達することができる。このように、電力送達ケーブル（１２４）の数と寸法は大幅に削減され、構造体や車両（１０２）の壁に穿設されなければならない穴の数と大きさは、結果として削除または大幅に減少される。
【００２０】
回路基板（１１６）は、集約された画像又はメッセージを表示するように、個々のＬＥＤ及びパネル（１１０）の選択的な活性を調整するために、プロセッサ（１４６）により制御される。加えて、いくつかの実施形態において、おのおののパネル（１１０）は、他のパネル（１１０）から独立して、画像及びメッセージを表示することができる。よって、複数の異なるメッセージまたは広告は、単一のマルチパネル表示装置（１００）に表示することができる。
【００２１】
一つの例では、図１に図示されているとおり、マルチパネル表示装置（１００）は、２６列と５行のアレイ状に配された１３０個のパネルを備えることができる。図４に図示されるように個々のパネル（１１０）は、１６列と１６行のアレイ状に配された２５６本のＬＥＤの束を順に含むことができる。本発明は、しかし、各パネル内により多くの或いはより少ない個々のパネル（１１０）及びＬＥＤを含む他の形態を等しく予見している。
【００２２】
１つ以上のデータ分配ボード（１２０）もまた、マイクロプロセッサまたは他のプログラム可能なロジックデバイス（１４６）によって制御することができ、パネル（１１０）と個々のＬＥＤの選択的な活性を調整し、表示装置（１００）を形成し、集約する。好ましくは、データ分配ボード（１２０）は、また構造体（１０２）の外側に配される。当該データ分配ボード（１２０）は追加の発熱部品（１４２−１５０）を備えるか、或いはこれらの追加の発熱部品（１４２−１５０）は上述のとおりに、複数の個々のパネル（１１０）に亘って分配され得る。
【００２３】
好ましい実施形態において、マルチパネル表示装置（１００）は、車両（１０２）により利用されるバッテリーなどのバッテリ（１２２）からのＤＣ電源を利用する。当該バッテリー（１２２）は約５ボルトよりも高い電位を有することができるが、この電位は典型的には、個々のＬＥＤパネル（１１０）を動作するために必要なものである。より好ましくは、バッテリ（１２２）の電位は、標準的な車両用バッテリーなどにおける、少なくとも約１２または２４ボルトである。一実施形態では、電源用電子部品にわずか５ボルトが要求されるにすぎないが、電源（１２２）のより高い電圧が、まず遠隔で階段状に電圧降下することなくマルチパネル表示装置（１００）のパネル（１１０）に直接接続され得る。その後、電圧は、各ＬＥＤパネル（１１０）の背面側の回路基板（１１６）上のＤＣ−ＤＣ変換器（１４２）を用いて５ボルトまで低減することができる。
【００２４】
電源（１２２）の高い電圧を直接個々の回路基板に送達することで、この電圧を送達する導電性ケーブル又は配線（１２４）は、数が低減し、大きさの点で薄くなり得る。そして、個々の配線又はケーブル（１２４）はより多くの表示パネル（１１０）を駆動することができる。薄い配線（１２４）の使用は、構造体又は車両（１０２）の壁の周りの配線（１２４）を方向付ける選択を提供することができ、これによって壁に穴を穿設する必要性をなくする。代替的に、最小にすると、そのような小さなワイヤ（１２４）は、電源（１２２）が配された内側から、表示装置（１００）が配された外側に配線（１２４）を通すために、壁に作られるべき穴の大きさを低減する。
【００２５】
電子部品は、電源（１２２）の電圧を使用可能な電圧に変更するＤＣ−ＤＣ電力変換器（１４２）、使用中の適正な電圧を維持する電圧調整器（１４４）、選択的にＬＥＤを案内する特定のプログラム可能なロジックデバイス（１４６）、及び個々のＬＥＤに伝送するＬＥＤ駆動装置（１４８）を含む。これらの電子部品は著しい量の熱を発生し、この熱は部品の欠陥を含む負の効果を引き起こし得る。電子部品によって発生された大量の熱を放散する共通の方法は、熱を吹き飛ばすため、或いは構造体若しくは車両の内側から冷却された空気又は調整された空気を案内するためにファンを使用することである。しかし、ファンの使用は追加のエネルギーを必要とし、それ自体になにがしかの熱を生成する。
【００２６】
発熱部品（１４２−１５０）の周りの空気流は、これらの電子部品を構造体（１０２）に配することによって、追加のエネルギー消化の使用なしに、増加することができる。加えて、マルチパネルＬＥＤ表示装置（１００）の２以上のパネル（１１０）上の電子部品によって熱を分散することは、そこを介して熱が引かれるフレーム（１２６）（および、任意に構造体（１０２））の数を増加させること、及び熱をさらに除去するために使用され得る空気流の表面領域を増加することにより、放熱の効率と効果を改善する。
【００２７】
発熱部品（１４２−１５０）を構造体（１０２）の外側に置くと、当該部品によって発生された熱を自然の空気流に晒し、エネルギーとスペースを削減する対流プロセスを介して熱の除去を促進する。構造体（１０２）が車両である実施形態では、車両（１０２）の移動は、追加の自然な空気流（すなわち、車両（１０２）を移動するのに要求されるもの以外の追加のエネルギー消費のない空気流）と遭遇し、車両（１０２）が移動する際に遭遇する空気流からの自然の対流による発熱部品（１４２−１５０）からの除熱をさらに改善する。
【００２８】
本発明の一実施形態において、関連する回路ボード（１１６）を備えたマルチパネル表示装置（１００）は、放熱及び空気の対流プロセスを促進するフレーム（１２６）に取り付けることができる。好ましくは、フレーム（１２６）はアルミニウムなどの金属を含む。
【００２９】
いくつかの実施形態において、プリント回路基板（１１６）は、フレーム（１２６）と熱伝導性のやりとりがあり、それで、回路基板（１１６）上の電子部品によって発生された熱は、フレーム（１２６）に対して、さらに効率的に放熱される。フレーム（１２６）は、ついで、周囲の空気によって、及び／又は構造体（１０２）との接触を介して冷却される。
【００３０】
フレーム（１２６）は、フレーム（１２６）を介した放熱をさらに促進するために、隆起部（１２８）と谷（１３０）とを交互に含む波状にされ得る。隆起部（１２８）と谷（１３０）は相対的な用語で、フレーム（１２６）が如何に見られるかに依存する。明瞭性のため、そして説明の容易さのために、隆起部（１２８）と谷（１３０）に言及し、同時に、構造体（１０２）に取り付けられる際のフレーム（１２６）を見る。
【００３１】
隆起部（１２８）は、パネル（１１０）が取り付けられる際の支持体を提供する。加えて、隆起部（１２８）は、発熱部品（１４２−１５０）から熱を除去するためのヒートシンクとして機能する。隆起部（１２８）の後ろにチャネル（１３２）が設けられ、当該チャネル（１３２）を介して空気が流れることができ、電子部品からの熱の放散を高める。当該熱は隆起部（１２８）に伝達される。チャネル（１３２）は、図２に示されるように、水平方向に配向することができ、その結果、移動する車両や風によって生成されるような水平方向の空気流がチャネル（１３２）を介して方向づけられ、それによって、隆起部（１２８）を冷却する。
【００３２】
垂直方向に配向された隆起部（１２８）と谷（１３０）、又は種々のワッフル状若しくはチェッカーボード状のパターンを含む他の構成も等しく意図されている。そのような代替のパターンは優れた放熱特性を生成することができる。当該放熱特性は、静的構造体（１０２）対移動する車両、又は緩慢な移動車両対速い移動車両など、表示装置の所望の使用に依存する。いくつかの実施形態では、チャネル（１３２）は、垂直に配向させることができる。著しい外側の空気流が存在しない条件下で、そのような垂直に向けられたチャネル（１３２）内で生成された熱い空気がチャネル（１３２）を介して空気流を発生する。著しい外側の空気流が存在する条件下で、ベルヌーイの原理は、このような垂直方向に向けられたチャネル（１３２）内で空気流を生成することができる。ワッフル状のパターンやチェッカーボード状のパターンは、多くの状況下で垂直方向及び水平方方向の両方のチャネル（１３２）における空気流が利用することができる。
【００３３】
隆起部（１２８）によって吸収された熱は、また、伝導によって谷（１３０）に伝達される。谷（１３０）に伝達された熱は、ついで、構造体（１０２）との接触を介して伝導によって放散される。環境への直接的な暴露から電子部品を保護するために、エンドキャップ（１３４）は、谷（１３０）の内側に配され得る。
【００３４】
谷（１３０）は、また、電子部品の配線が経路とされ得る追加のスペースを提供する。
【００３５】
フレーム（１２６）は、広くさまざまな種類の構造体への取り付け、取付目的のための構造体における必要な穴をどこに配するかの選択、及びそれによって、構造体の壁に穿設する必要がある新たな穴の数を最小にすることを促進するために、吊り下げレールを使って構造体（１０２）に着脱自在に取付けられ得る。また、このような吊り下げレールの構造も同様に除去が容易になる。代替的に、他の多くの迅速な解除ファスナーがあり、それらも本発明によって等しく意図されている。その結果、表示装置は修理、交換又は他の構造体とへの移送のために、簡単に取り外すことができる。パネル（１１０）に接続されている電子部品を有しているので、フレーム（１２６）は、機能不全の回路基板及び表示パネルの簡単な除去及び交換を、構造体又は車両（１０２）に侵入することなく促進する。なぜなら、回路基板は構造体（１０２）の外側に移動されているからである。
【００３６】
いくつかの実施形態において、フレーム（１２６）は、構造体（１０２）に固定して取り付けることができ、マルチパネル表示装置（１００）が変更され、盗難される可能性を減少する。各パネル（１１０）はモジュラーデバイスであるため、修理、交換、または取り外しは簡単に行うことができる。なぜなら、各パネル（１１０）は個々に取り外され、差し込み式のデバイスのように他のパネル（１１０）と置換されるからである。
【００３７】
この構成からの他の利点は、表示装置が周囲の環境から一層簡単に密閉されることができ、完全に封入され固く密閉された運搬可能な製品をもたらすことである。透明のカバー（１３６）は、マルチパネル表示装置の前面に取り付けられ、フレーム（１２６）に接続されている筐体によって、すべての４つの縁に沿って密封することができる。この構成では、カバー（１３６）は、表示パネル（１１０）のフロント面（１１２）を密封する。このカバーは、また表示パネルの変更や破損をさらに防止するためにも機能し、任意に、表示装置（１００）の表示特性を改善し、マルチパネル表示装置は透明カバー（１３６）で覆われ得る。カバー（１３６）との接合時に、エンドキャップ（１３４）は、周囲の環境から表示パネルの背面（１１４）を封止するために動作する。その結果、電圧変換器（１４２）及び電圧調整器（１４４）並びに他の電子部品（１４６−１５０）を含む表示装置の正面側表面と背面側表面の両方は固く密封されることができ、その結果、外部の空気又は湿気はこれらの部品や表示パネル（１１０）の表面に到達することはない。
【００３８】
さらに、フレーム（１２６）の放熱機能を改善するために、熱伝導性のパッド（１３８）が、発熱部品（１４２−１５０）と波状フレーム（１２６）との間に配され得る。いくつかの実施形態では、熱伝導性パッド（１３８）はフレーム（１２６）の背部、又はフレーム（１２６）と構造体（１０２）との間に配され得る。好ましくは、熱伝導性パッド（１３８）柔軟で、圧縮可能な、高い熱伝導性を有する材料から製造される。これによって、熱伝導性のパッド（１３８）は、容易に配され、かつ発熱部品（１４２−１５０）の顕著な量の加熱した表面と、並びにフレーム（１２６）の顕著な量の利用可能な隣接する表面と接したときに有効にされる。熱伝導性パッド（１３８）の一例は、Ｌａｉｒｄ  Ｔｅｃｈｎｏｌｏｇｉｅｓ（登録商標）社製の熱ギャップフィラー製である。
【００３９】
本発明の好ましい実施形態の前述の説明は、図示及び説明の目的のために提示した。網羅的に開示した厳密な形態に本発明を限定することは意図されていない。多くの変更および変形は、上記の教示に照らして可能である。発明の範囲はこの詳細な説明によってではなく、特許請求の範囲および均等物によってのみ限定されるものである。
【産業上の利用可能性】
【００４０】
本発明は電子表示装置（１００）の開発、製造及び使用に産業上適用することができ、当該電子表示装置（１００）は、電子部品を冷却するために遭遇する自然の空気流を利用し、発熱部品は、ヒートシンクとして使用される支持フレームの相当大きな領域で分配される。電子表示装置（１００）は、自然な空気流に遭遇するように構造体（１０２）に着脱自在に取り付けられたフレーム（１２６）と、当該フレーム（１２６）に取り付けられた複数の個々のパネル（１１０）とを備え、各パネル（１１０）は、第１の面（１１２）と、当該第1の面（１１２）と向かい合う第２の面（１１４）とを備え、前記第１の面（１１２）は複数の光源（１０４）を備え、各個々のパネル（１１０）は画像を表示するために他の個々のパネル（１１０）と共に機能し、前記電子表示装置は、さらに、前記マルチパネル電子表示装置（１００）の個々のパネル（１１０）のうちの２以上の面に、フレーム（１２６）と熱伝達するように接続された回路基板（１１６）を備え、その結果、当該回路基板（１１６）上の電子部品によって発生した熱がフレーム（１２６）内で放熱し、フレーム（１２６）が自然の空気流によって冷却される。
【図１】
2012525612.tif 000003
【図２】
2012525612.tif 000004
【図３】
2012525612.tif 000005
【図４】
2012525612.tif 000006
【図５】
2012525612.tif 000007
【国際調査報告】
2012525612.tif 000008